(57)【要約】【課題】  デジタル放送の画面とアナログ放送などの画面を表示でき、かつ画像を崩さずに、表示画面の切替えができるようにする。【解決手段】  デジタル受信時、ＴＳパケット分離回路３でＴＳストリームからＰＣＲ情報が分離され、これでクロック生成回路４が制御されて所定周波数の基準クロックφDが生成される。画像デコーダ５は、基準クロックφDで符号化画像信号ＶCを復号する。アナログ受信信号ＳAはＡ/Ｄコンバータ１２でデジタル化され、そのクロックφAでＴＢＣ１４に書き込まれて基準クロックφDで読み出され、基準クロックφDのデジタル化アナログ画像信号ＳAD’が得られる。復号画像信号ＶDとデジタル化アナログ画像信号ＳAD’とは合成回路１５に供給されるが、デジタル放送の受信からアナログ放送の受信に切り替わるとき、制御回路７の制御により、基準クロックφD の周波数が切り替え直前の値に固定される。【選択図】        図１
2006141055.tif 000002
【特許請求の範囲】
【請求項１】
デジタル放送の受信手段とアナログ画像信号の入力手段とを
備えたデジタル放送受信機であって、
該受信手段で受信したデジタル放送のＭＰＥＧストリーム中の符号化画像信号
と符号化音声信号とＰＣＲ（プログラム時刻基準参照値）情報を分離するパケッ
ト分離手段と、
該ＰＣＲ情報に基づいてデジタル基準クロックを生成する第１のクロック生成
手段と、
該デジタル基準クロックを用いて該パケット分離手段で分離された該符号化画
像信号を復号する復号手段と、
該入力手段からの該アナログ画像信号に同期したアナログ用クロックを生成す
る第２のクロック生成手段と、
該入力手段からの該アナログ画像信号を該アナログ用クロックでデジタル化す
るアナログ／デジタル変換手段と、
該アナログ／デジタル変換手段からのデジタル化アナログ画像信号を、該アナ
ログ用クロックを書込クロックとしてメモリに書き込み、該デジタル基準クロッ
クを読出クロックとして該メモリから読み出す時間軸補正手段と、
該時間軸補正手段から読み出された該デジタル化アナログ画像信号と該復号手
段からの復号画像信号とを合成もしくは切り替えてアナログ信号に変換する合成
手段と、
該合成手段の出力信号の画面表示をする表示手段と
を備え、
該第１のクロック生成手段は、該表示手段での表示状態が少なくとも該デジタ
ル放送の画面が表示されている状態から該アナログ画像信号による画面のみの表
示状態に切り替わったとき、該デジタル基準クロックの周波数を該表示状態の切
り替わり時点での周波数に保持させる手段を有することを特徴とするデジタル放
送受信機。
【請求項２】
デジタル放送の受信手段とアナログ画像信号の入力手段とを
備えたデジタル放送受信機であって、
該受信手段で受信したデジタル放送のＭＰＥＧストリーム中の符号化画像信号
と符号化音声信号とＰＣＲ(プログラム時刻基準参照値)情報を分離するパケット
分離手段と、
該ＰＣＲ情報に基づいてデジタル基準クロックを生成する第１のクロック生成
手段と、
該デジタル基準クロックを用いて該パケット分離手段で分離された該符号化画
像信号を復号する復号手段と、
該入力手段からの該アナログ画像信号に同期したアナログ用クロックを生成す
る第２のクロック生成手段と、
該入力手段からの該アナログ画像信号を該アナログ用クロックでデジタル化す
るアナログ／デジタル変換手段と、
該アナログ／デジタル変換手段からのデジタル化アナログ画像信号を、該アナ
ログ用クロックを書込クロックとしてメモリに書き込み、該デジタル基準クロッ
クを読出クロックとして該メモリから読み出す時間軸補正手段と、
該デジタル基準クロックで動作し、文字や図形などの画像を表わすＯＳＤ（オ
ン・スクリーン・ディスプレイ）画像信号を発生するＯＳＤ回路と、
該復号手段からの復号画像信号と該時間軸補正手段から読み出された該デジタ
ル化アナログ画像信号と該ＯＳＤ画像信号とのいずれかどおしを合成もしくは切
り替えてアナログ信号に変換する合成手段と、
該合成手段の出力信号の画面表示をする表示手段と
を備え、
該第１のクロック生成手段は、該表示手段での表示状態が少なくとも該デジタ
ル放送の画面が表示されている状態から該アナログ画像信号または該ＯＳＤ画像
信号による画面のみの表示状態もしくは該アナログ画像信号と該ＯＳＤ画像信号
との合成画面のみの表示状態に切り替わったとき、該デジタル基準クロックの周
波数を該表示状態の切り替わり時点での周波数に保持させる手段を有することを
特徴とするデジタル放送受信機。
【発明の詳細な説明】
【技術分野】
【０００１】
本発明は、デジタル放送番組と現行アナログ放送番組，アナログＶＴＲなどの
外部入力画像とを表示可能としたデジタル放送受信機に関する。
【背景技術】
【０００２】
米国で開始されたＡＴＳＣ規格に基づくデジタル衛星放送や、日本国内で放送
化が予定されている衛星／地上波のデジタル放送は、高精細画像を始め様々なフ
ォーマットの画像信号を符号化して放送するものであり、その放送番組を視聴す
るためには、専用のデジタル放送受信機が必要となる。そして、かかるデジタル
放送はＭＰＥＧ(Moving Picture Experts Group)２規格に準拠したビットストリ
ーム（ＴＳストリームやＰＳストリームであって、以下、ＭＰＥＧストリームと
いう）を用いて配信されるため、これを受信するデジタル放送受信機も、ＭＰＥ
Ｇ２規格に準拠したシステムに構築することが必要である。
【０００３】
ISO/IEC 13818−1(MPEGシステム規格) Annex DのFig.D-2の記載によると、か
かる規格に準拠したデジタル放送受信機では、受信したＭＰＥＧストリームから
このストリームの復号時の時間基準となるＳＴＣ（System Time Clock：基準と
なる同期情報）情報を再生することが規定されている。このために、ＭＰＥＧス
トリームには、符号化画像信号と符号化音声信号との復号器を含むＭＰＥＧ復号
器において、ＳＴＣ情報の値を符号器側で意図した値に設定するための情報であ
るＳＣＲ（Program Clock Reference：プログラム時刻基準参照値）情報が付加
されている。ＭＰＥＧ復号器では、これら符号化画像信号や符号化音声信号を復
号するためのデジタル基準クロックを生成するためのＰＬＬ（Phase Locked Loo
p）回路を備えたデジタル基準クロック生成回路が設けられており、このＰＬＬ
回路で生成されるＳＴＣ情報と受信したＭＰＥＧストリームから抽出したＰＣＲ
情報とが一致するようにこのＰＬＬ回路を動作させることにより、符号器側で意
図する周波数のデジタル基準クロックが生成されるようにしている。このデジタ
ル基準クロックにより、符号化画像信号や符号化音声信号が復号される。
【発明の開示】
【発明が解決しようとする課題】
【０００４】
ところで、以上のようなデジタル放送が開始されるとしても、ユーザの利便性
を考えると、放送受信機としては、現行の地上波のアナログ放送を受信できたり
、ＶＴＲなどの外部機器からの外部アナログ画像信号を入力できるようにするな
どの配慮も必要である。しかしながら、上記のＭＰＥＧ規格では、デジタル放送
の受信システムについて記述されるだけであり、アナログ画像信号についての配
慮はなされていない。
【０００５】
そこで、上記の要望を満たすためには、放送受信機として、ＭＰＥＧ規格の受
信システムとアナログ放送の受信システムとを備えた受信機が考えられる。かか
る放送受信機では、ユーザの希望によってデジタル放送とアナログ放送とを選択
的に、あるいはこれらを合成して画像表示できるように構成されることになるが
、このために、かかる選択または合成を行なうための合成回路が設けられること
になる。
【０００６】
ところで、このような選択または合成を行なう場合、アナログ信号で行なう（
即ち、アナログ処理で行なう）よりもデジタル信号で行なう（即ち、デジタル処
理で行なう）方が、部品コストの点から有利である。同じ画質を保持するために
は、アナログ信号で処理するよりも、デジタル信号で処理した方が部品コストを
低くすることができるのである。
【０００７】
そこで、上記のようなアナログ放送も受信可能とするデジタル放送受信機にお
いては、上記のことから、受信したアナログ放送信号、特に、アナログ画像信号
をデジタル化（かかるアナログ画像信号を、以下、デジタル化アナログ画像信号
という）した後、受信したデジタル放送のＭＰＥＧストリームの符号化画像信号
を復号した画像信号（これもデジタル画像信号であって、以下、復号画像信号と
いう）と切り換えたり、合成して画像表示するようにすることが望ましい。
【０００８】
しかしながら、これらデジタル化アナログ画像信号と復号画像信号とのクロッ
クは、これらの周波数がほとんど等しいとしても（当然、これらクロックはこの
ように生成される）、全く独立のクロック生成回路で生成されたものである。こ
のため、復号画像信号による画面（以下、デジタル画面という）からデジタル化
アナログ画像信号による画面（以下、アナログ画面という）に画面の切替えを行
なうと、クロックの不連続が生じてアナログ画面に画像崩れが発生することにな
る。
【０００９】
また、デジタル画面からアナログ画面に画面の切替えがあるときには、デジタ
ル放送が受信されなくなり、上記のＰＣＲ情報が抽出されなくなる。このため、
上記のＰＬＬ回路はＰＣＲ情報による制御がなされなくなり、従って、このＰＬ
Ｌ回路によって生成されるデジタル基準クロックの周波数が、このＰＬＬ回路が
制御されない状態で安定化する値に変化していくことになる。
【００１０】
上記のように、合成回路でのデジタル処理する場合、クロックとして上記のデ
ジタル基準クロックが当然使用されることになるが、この合成回路でデジタル画
面からアナログ画面に切り替わっても、このアナログ画面を得るためのデジタル
化アナログ画像信号のデジタル処理（例えば、Ｄ／Ａ変換）も、このデジタル基
準クロックを用いて行なわれることになる。しかし、このとき、デジタル放送が
受信されず、上記のようにデジタル基準クロックの周波数が変化し、デジタル化
アナログ画像信号のクロック周波数と大きく変化すると、このデジタル化アナロ
グ画像信号の処理ができなくなり、アナログ画面が得られなくなる。
【００１１】
デジタル基準クロックの周波数は、標準テレビション方式の画素周期に応じて
決められており、ＮＴＳＣ方式の高解像度テレビジョン（ＨＤ）信号の場合、ほ
ぼ２７ＭＨｚとしている。この場合には、アナログ放送の画像信号（以下、アナ
ログ画像信号という）を上記のようにＡ／Ｄ変換してデジタル化アナログ画像信
号とする場合のクロック周波数も、これと同様、ほぼ２７ＭＨｚに設定される。
そして、これらデジタル基準クロックやアナログ画像信号のＡ／Ｄ変換のための
クロック（以下、アナログ用クロックという）の周波数は、ほぼ２７ＭＨｚを中
心としてある程度の許容範囲（２７±Δｆ）ＭＨｚがあり、デジタル基準クロッ
クの周波数がこの許容範囲内であれば、デジタル化アナログ画像信号のデジタル
処理も可能であるが、上記のように、ＰＣＲ情報によるＰＬＬ回路の制御がなく
なってデジタル基準クロックの周波数がこの許容範囲を越えると、合成回路にお
いて、もはやデジタル化アナログ画像信号のデジタル処理ができなくなり、正常
なアナログ画面が得られなくなる。
【００１２】
本発明の目的は、デジタル放送とアナログ放送とを受信可能とするに際し、以
上の問題を解消して、少なくともデジタル画面を表示した状態からアナログ画面
のみを表示するモードに切り替わっても、この切替え時点からアナログ画面を正
常に表示可能としたデジタル放送受信機を提供することにある。
【課題を解決するための手段】
【００１３】
上記目的を達成するために、本発明は、受信したデジタル放送のＭＰＥＧスト
リーム中の符号化画像信号とＰＣＲ（プログラム時刻基準参照値）情報を分離す
るパケット分離手段と、該ＰＣＲ情報に基づいてデジタル基準クロックを生成す
る第１のクロック生成手段と、該デジタル基準クロックを用いて該パケット分離
手段で分離された該符号化画像信号を復号する復号手段と、該入力手段からの該
アナログ画像信号に同期したアナログ用クロックを生成する第２のクロック生成
手段と、該入力手段からの該アナログ画像信号を該アナログ用クロックでデジタ
ル化するアナログ／デジタル変換手段と、該アナログ／デジタル変換手段からの
デジタル化アナログ画像信号を、該アナログ用クロックを書込クロックとしてメ
モリに書き込み、該デジタル基準クロックを読出クロックとして該メモリから読
み出す時間軸補正手段と、該時間軸補正手段から読み出された該デジタル化アナ
ログ画像信号と該復号手段からの復号画像信号とを合成もしくは切り替えてアナ
ログ信号に変換する合成手段と、該合成手段の出力信号の画面表示をする表示手
段とを備え、該第１のクロック生成手段は、該表示手段での表示状態が少なくと
も該デジタル放送の画面が表示されている状態から該アナログ画像信号による画
面のみの表示状態に切り替わったとき、該デジタル基準クロックの周波数を該表
示状態の切り替わり時点での周波数に保持させる手段を有する構成とする。
【００１４】
かかる構成により、合成手段に供給されるデジタル放送の復号画像信号とデジ
タル化アナログ画像信号とは、それらのクロック周波数がデジタル基準クロック
の周波数と等しく、かつデジタル基準クロックの周波数は、デジタル放送の画面
表示からアナログ画像信号のアナログ画面のみの表示に切り替わって、第１のク
ロック生成回路がＰＣＲ情報で制御されなくなっても、デジタル画像信号の処理
に要求される規定の周波数範囲からはずれることなく安定化し、アナログ画面が
その表示開始から安定して表示されるようになる。
【発明の効果】
【００１５】
以上説明したように、本発明によれば、合成画面の表示を安定して行なうことができる。
【発明を実施するための最良の形態】
【００１６】
以下、本発明の実施形態を図面を用いて説明する。  
図１は本発明によるデジタル放送受信機の第１の実施形態を示すブロック図で
あって、１はデジタル放送受信アンテナ、２はデジタル放送選局／復調回路、３
はＴＳ（Transport Stream）パケット分離回路、４はデジタル基準クロック生成
回路、５は画像デコーダ（即ち、符号化画像信号の復号回路）、６は音声デコー
ダ（即ち、符号化音声信号の復号回路）、７は制御回路、８はアナログ放送受信
アンテナ、９はＶＴＲ（ビデオテープレコーダ）、１０はアナログ放送選局／復
調回路、１１はスイッチ、１２はＡ／Ｄ（アナログ／デジタル）コンバータ、１
３はアナログ画像用クロック生成回路、１４はＴＢＣ（Time Base Corrector：
時間軸補正回路）、１５は合成回路、１６は表示装置、１７はスピーカ、１８は
入力手段、１９はユーザＩ／Ｆ（インターフェース）回路である。
【００１７】
同図において、リモートコントローラなどの入力手段１８でもってユーザが希
望するチャネルの選択や選択したチャンネルの表示方法の指示などを行なうと、
この入力手段１８からチャンネル選択情報や指示情報が出力され、ユーザＩ／Ｆ
回路１９でＣＰＵなどからなる制御回路７で解読可能なユーザ命令ＣM に変換さ
れた後、この制御回路７に取り込まれる。制御回路７は、ユーザＩ／Ｆ回路１９
からのかかるユーザ命令ＣM に基づいて、デジタル放送選局／復調回路２，アナ
ログ放送選局／復調回路１０，ＴＳパケット分離回路３，合成回路１５，デジタ
ル基準クロック生成回路４及びスイッチ１１などを制御し、ユーザが希望するチ
ャンネルを受信可能な状態とし、また、受信したチャンネルの画像の表示方法を
制御する。
【００１８】
ここで、まず、デジタル放送を受信してその画面の表示を行なう場合の動作に
ついて説明する。
【００１９】
この場合には、デジタル放送受信アンテナ１で受信された複数のデジタル放送
のＭＰＥＧ２規格によるトランスポートストリーム（ＴＳストリーム）のうち、
ユーザが希望するチャンネルを含むＴＳストリームがデジタル放送選局／復調回
路２で選局されて復調され、その復調デジタル受信信号ＳDがＴＳパケット分離
回路３に供給される。この復調デジタル受信信号ＳDは、ＭＰＥＧ２規格に準拠
した符号化画像データや符号化音声データなどのパケットデータにヘッダや誤り
訂正符号などが付加されてなるＴＳパケットが多重化されたＴＳストリームであ
って、ＴＳパケット分離回路３では、制御回路７で設定されたＰＩＤ（Paket Id
entification：パケット識別方法）情報に基づいて、かかる復調デジタル受信信
号ＳDからユーザが指定したチャンネルの符号化画像データをパケットデータと
するＴＳパケット（画像パケット）や符号化音声データをパケットデータとする
ＴＳパケット（音声パケット），ＰＣＲ（Program Clock Reference：プログラ
ム基準時刻参照値）情報を含むＴＳパケット（ＰＣＲパケット）などを分離され
る。この分離されたＰＣＲパケットからＰＣＲ情報が抽出され、このＰＣＲ情報
からデジタル基準クロック生成回路４に内蔵のＶＣＯ（Voltage Controlled Osc
ilator：電圧制御発振器）を制御するためのＶＣＯ制御信号ＣVが生成される。
このＶＣＯ制御信号ＣVをもとに、デジタル基準クロック生成回路４がデジタル
基準クロックφDを生成する。
【００２０】
ＴＳパケット分離回路３で分離された画像パケットと音声パケットとから符号
化画像データ，符号化音声データが抽出され、夫々符号化画像信号ＶC，符号化
音声信号ＡCとして、デジタル基準クロックφDで動作する画像デコーダ５，音声
デコーダ６に供給されて復号され、これによって得られた復号画像信号ＶDが合
成回路１５に、復号音声信号ＡDがスピーカ１７に夫々供給される。
【００２１】
次に、アナログ放送の受信画面やＶＴＲ９の再生画面を表示する場合の動作に
ついて説明する。
【００２２】
この場合には、制御回路７の制御により、スイッチ１１は、アナログ放送を受
信するときには、アナログ放送選局／復調回路１０を選択し、ＶＴＲ９の再生画
面を表示するときには、ＶＴＲ９を選択する。ここで、入力手段１８によってユ
ーザが所望とするチャンネルのアナログ放送を選択した場合には、制御回路７の
制御により、アナログ放送選局／復調回路１０が、アナログ放送受信アンテナ８
で受信される複数のチャンネルのアナログ放送信号の中からこの希望するチャン
ネルのアナログ放送信号を選局して復調する。
【００２３】
スイッチ１１で選択されたアナログ画像信号ＳAは、アナログ画像用クロック
生成回路１３とＡ／Ｄコンバータ１２とに供給される。アナログ画像用クロック
生成回路１３では、このアナログ画像信号ＳAの同期信号により、このアナログ
画像信号ＳAに同期したアナログ画像用クロックφAが生成される。Ａ／Ｄコンバ
ータ１２では、このアナログ画像用クロックφAをサンプルクロックとして、ア
ナログ画像信号ＳAをデジタル変換する。このＡ／Ｄコンバータ１２から出力さ
れる画像信号（以下、デジタル化アナログ画像信号という）ＳADはＴＢＣ１４に
供給される。このＴＢＣ１４では、このデジタル化アナログ画像信号ＳADが、ア
ナログ画像用クロック生成回路１３で生成されたアナログ画像用クロックφAを
書込クロックとして内蔵のメモリに書き込まれ、また、デジタル基準クロック生
成回路４からのデジタル基準クロックφDを読出クロックとしてこのメモリから
読み出される。従って、このＴＢＣ１４から読み出されたデジタル化アナログ画
像信号ＳAD’は、画像デコーダ５から出力されるデジタル信号である復号画像信
号ＶD と同じデジタル基準クロックφD が同期していることになる。このデジタ
ル化アナログ画像信号ＳAD’は合成回路１５に供給される。
【００２４】
合成回路１５では、制御回路７の制御により、画像デコーダ５からの復号画像
信号ＶDとＴＢＣ１４からのデジタル化アナログ画像信号ＳAD'とのうちのユーザ
が希望する画像信号が選択され、あるいはまた、これら復号画像信号ＶDとデジ
タル化アナログ画像信号ＳAD’とが合成され、表示装置１１に合わせたフォーマ
ットに変換された（デジタル／アナログ変換処理も含む）後、表示装置１１に供
給される。
【００２５】
即ち、この合成回路１５では、制御回路７の制御によって制御される選択手段
を備えており、この選択手段により、復号画像信号ＶDのみを選択するモードと
、デジタル化アナログ画像信号ＳAD’のみを選択するモードと、これら画像信号
を同じ画面内で選択してこれら画像信号の合成画面を形成するモードとを選択す
ることができる。このようなモードを全て含めて合成というが、これら合成モー
ドの選択は、ユーザが入力手段１８を表示方法の選択操作することによって行な
われる。
【００２６】
図２は表示装置１１でのかかる表示モードを示す図であって、同図（ａ）は復
号画像信号ＶDによるデジタル放送の画面（以下、デジタル画面という）Ｄのみ
を表示するモードであって、この場合には、合成回路１５は画像デコーダ５から
の復号画像信号ＶDのみを選択して出力する。また、同図（ｂ）はＴＢＣ１４か
らのデジタル化アナログ画像信号ＳAD’による画面（以下、アナログ画面という
）Ａのみを表示するモードであって、合成回路１５はデジタル化アナログ画像信
号ＳAD’のみを選択して出力する。同図(ｃ)はデジタル画面Ｄとアナログ画面Ａ
とを合成して同時に表示するモードであって、この場合には、デジタル放送の受
信とともに、スイッチ１１からアナログ放送の受信信号またはＶＴＲ９の再生信
号が入力され、合成回路１５は、フィールド毎に、または、フレーム毎に復号画
像信号ＶDとデジタル化アナログ画像信号ＳAD’とを所定のタイミングで切り替
えて出力する。なお、同図（ｃ）では、デジタル画面Ｄを主画面とし、アナログ
画面Ａを従画面としてこれらを合成表示するようにしているが、アナログ画面Ａ
を主画面とし、デジタル画面Ｄを従画面として表示するようにすることかできる
ことはいうまでもない。
【００２７】
この合成回路１５では、デジタル基準クロック生成回路４からのデジタル基準
クロックφDを動作クロックとし、上記のように、受信したデジタル放送画像信
号やアナログ放送画像信号，ＶＴＲ９の再生画像信号をデジタル信号として処理
する（即ち、デジタル処理）ものである。このデジタル処理では、入力される復
号画像信号ＶDとデジタル化アナログ画像信号ＳAD’とを上記のように合成する
とともに、合成された画像信号を表示装置１１に適合したフォーマットに変換す
る処理やデジタル／アナログ変換などが行なわれる。このようにデジタル処理に
よって合成処理やフォーマット変換などを行なうのは、同じ画質の表示画像を得
るための部品コストを、アナログ処理する場合に比べ、低減できるという利点が
ある。このために、アナログ画像信号ＳAをデジタル化し、デジタル化アナログ
画像信号ＳAD'として合成回路１５に供給するようにしている。
【００２８】
また、合成回路１５では、画像デコーダ５からの復号画像信号ＶDを処理する
ときも、デジタル化アナログ画像信号ＳAD’を処理するときも、動作クロックと
して同じクロック、即ち、デジタル基準クロックφDが使用される。このデジタ
ル化アナログ画像信号ＳAD’は、ＴＢＣ１４の処理により、デジタル基準クロッ
クφDと同じクロックを使用しているので、合成回路１５でデジタル基準クロッ
クφDによるデジタル処理が正常に行なわれることになる。
【００２９】
そこで、図２(ａ），(ｃ）に示すようなデジタル画面Ｄの表示モードから図２
（ｂ）に示すようなアナログ画面Ａのみの表示モードに切り替わるときの復号画
像信号ＶDからデジタル化アナログ画像信号ＳAD'への切り替わり過程でも、動作
クロックとしてのデジタル基準クロックφDの周波数が、処理されるこれらいず
れのデジタル信号のクロック周波数に一致している。これを動作クロックの連続
性が保たれるということにするが、上記のような表示モードの切り替え時に動作
クロックの連続性が保たれていると、上記のような復号画像信号ＶDからデジタ
ル化アナログ画像信号ＳAD’への切り替わりがあっても、このデジタル化アナロ
グ画像信号ＳAD’はその切り替わり時点からデジタル処理されることになる。
【００３０】
ところで、図２（ａ），（ｃ）に示すようなデジタル画面Ｄの表示モードから
図２（ｂ）に示すようなアナログ画面Ａのみの表示モードに切り替わるときには
、デジタル放送が受信されなくなるので、ＴＳパケット分離回路３では、ＰＣＲ
情報が分離されなくなり、従って、デジタル基準クロック生成回路４に対しては
、かかるＰＣＲ情報を用いた制御ができなくなる。これにより、このデジタル基
準クロック生成回路４で生成されるデジタル基準クロックφDの周波数が変化し
、この周波数が規定される周波数範囲からはずれると、これを用いた正常なデジ
タル画像信号の処理ができなくなる。即ち、合成回路でこの周波数範囲からはず
れた周波数のデジタル基準クロックφDを動作クロックとしてデジタル化アナロ
グ画像信号ＳAD’をデジタル処理した場合、例え、このデジタル化アナログ画像
信号ＳAD’のクロック周波数がデジタル基準クロックφDの周波数に等しく、こ
れを動作クロックとしてデジタル化アナログ画像信号ＳAD’をデジタル処理して
も、通常の画面表示に必要なフォーマットの画像信号が得られず、表示装置１１
で画面表示をすることができなくなる。
【００３１】
この実施形態は、ＴＳパケット分離回路３でＰＣＲ情報が分離されなくなって
も、デジタル基準クロックφDの周波数が上記の規定の周波数範囲内に保持され
るようにしたものであって、以下、図３を用いてこの点について説明する。なお
、図３は図１におけるＴＳパケット分離回路３とデジタル基準クロック生成回路
４の一具体例を示すブロック図であって、２０はＰＩＤ検出回路、２３はレジス
タ、２４は差分値回路、２５はＶＣＯ制御信号生成回路、２６はＳＴＣカウンタ
、２７はＬＰＦ（ローパスフィルタ）、２８はＶＣＯ（Voltage Controlled Osc
illater）であり、図１に対応する部分には同一符号を付けている。
【００３２】
同図において、ＴＳパケット分離回路３では、デジタル放送選局／復調回路２
で選局，復調された復調デジタル受信信号ＳD(ＴＳストリーム）がＰＩＤ検出回
路２０に供給され、図５で後述するように、この復調デジタル受信信号ＳDの各
ＴＳパケットに挿入されて夫々のＴＳパケットの属性（例えば、そのパケットデ
ータがどのような種類の情報であるかということ）を判別するためのＰＩＤ（Pa
cket Identification：パケット識別）情報を用いて、制御回路７の制御のもと
に、ユーザが選択したチャンネルの符号化画像信号ＶC，符号化音声信号ＡC及び
ＰＣＲ情報が分離されて出力される。このＰＣＲ情報は、符号化画像信号と符号
化音声信号との復号器を含むＭＰＥＧシステム復号器において、時刻基準となる
ＳＴＣ(System Time Clock：基本となる同期信号）情報の値を符号器側で意図し
た値に設定するための情報である。
【００３３】
ＰＩＤ検出回路２０で分離されたＰＣＲ情報の値はレジスタ２１にセットされ
るのであるが、かかるＰＣＲ情報がＰＩＤ検出回路２０で分離される毎に、レジ
スタ２１がこの新たに分離されたＰＣＲ情報の値に更新される。また、図示しな
いが、ユーザによって新たに選択されたデジタル放送のチャンネルをデジタル放
送選局／復調回路２で選局，復調開始するときには、制御回路７の制御により、
ＰＩＤ検出回路２０でこのチャンネルの復調デジタル受信信号ＳDから最初に分
離されたＰＣＲ情報の値が、ＳＴＣカウンタ２４にもロードされる。従って、Ｓ
ＴＣカウンタ２４は、このデジタル放送のチャンネルの選局復調を開始すると、
このチャンネルから最初に抽出されたＰＣＲ情報の値からデジタル基準クロック
生成回路４のＶＣＯ２６で発生するデジタル基準クロックφDをカウントし、そ
のカウント値をＳＴＣ情報として差分値回路２２に供給する。その後、ＰＩＤ検
出回路２０でＰＣＲ情報が抽出される毎に、レジスタ２１の内容はこの新たに抽
出されたＰＣＲ情報で書き換えられる。
【００３４】
レジスタ２１にＰＩＤ検出回路２０で抽出されたＰＣＲ情報がセットされると
同時に、差分値回路２２において、制御回路７の制御により、そのときのレジス
タ２１の値（セットされたＰＣＲ情報の値）とＳＴＣカウンタ２４のＳＴＣ情報
の値との差分値ΔＮが算出される。この差分値ΔＮはＶＣＯ制御信号生成回路２
３に供給され、この差分値ΔＮに応じたデューティ比のＶＣＯ制御信号ＣVが生
成されてデジタル基準クロック生成回路４に供給される。このデジタル基準クロ
ック生成回路４では、ＶＣＯ制御信号ＣVがＬＰＦ２５に供給されてそのデュー
ティ比に比例した値の直流電圧が生成され、この直流電圧に応じてＶＣＯ２６の
発振周波数が制御される。従って、ＶＣＯ２６からはこの発振周波数のデジタル
基準クロックφD が得られる。
【００３５】
そこで、デジタル放送のユーザが選択したチャンネルを含むＴＳストリームが
デジタル放送選局／復調回路２で復調され、その復調デジタル受信信号ＳDが供
給され始めて最初に抽出されたＰＣＲ情報がレジスタ２１にセットされ、かつＳ
ＴＣカウンタ２４にロードされたときには、このレジスタ２１の値とＳＴＣカウ
ンタ２４からのＳＴＣの値とは等しく、このとき差分値回路２２から得られる差
分値ΔＮは０である。従って、このときには、ＶＣＯ２６はＶＣＯ制御信号ＣV
で制御されず、そのときの発振周波数で動作する。
【００３６】
このときのＶＣＯ２６から得られるデジタル基準クロックφDの周波数が符号
化器のシステムクロック周波数と等しいならば、次にＰＩＤ検出回路２０で抽出
されたＰＣＲ情報がレジスタ２１にセットされたときには、このときのレジスタ
２１の値とＳＴＣカウンタ２４からのＳＴＣ情報の値とは等しくなるが、一般に
ＶＣＯ２６に制御が掛からないときには、その固有の周波数で発振することにな
るから、ＰＣＲ情報がレジスタ２１にセットされたときのレジスタ２１の値とＳ
ＴＣカウンタ２４のＳＴＣ情報の値とは異なり、従って、差分値回路２２で得ら
れる差分値ΔＮの値は０とは異なる。この結果、この差分値ΔＮにより、デジタ
ル基準クロックφD の周波数を符号化器でのシステムクロック周波数に一致させ
る方向に、ＶＣＯ２６の発振周波数が制御されることになる。
【００３７】
このように、差分値回路２２，ＶＣＯ制御信号生成回路２３，ＬＰＦ２５，Ｖ
ＣＯ２６及びＳＴＣカウンタ２４はＰＬＬ(Phase Locked Loop）回路を構成し、
レジスタ２１にセットされたＰＣＲ情報の値とそれがセットされたときのＳＴＣ
カウンタ２４のＳＴＣ情報の値とが一致するように動作する。このようにしてＶ
ＣＯ２６から得られるデジタル基準クロックφD は、上記のように、図１での画
像デコーダ５や音声デコーダ６，ＴＢＣ１４，合成回路１５に供給される。
【００３８】
このようにＰＬＬ回路がＰＣＲ情報をもとに制御されているときには、ＶＣＯ
２６から規定の周波数範囲内の周波数のデジタル基準クロックφDが出力される
。このデジタル基準クロックφDの周波数ｆは、符号器のシステムクロックの周
波数２７ＭＨｚと一致することが要求されるが、上記のＰＬＬ回路が間欠的に抽
出されるＰＣＲ情報によって制御されることから、図４（ａ）に示すように、要
求される周波数ｆ0(＝２７ＭＨｚ）を中心として上下に揺れることになる。
【００３９】
即ち、図４（ｃ）に示すように、ＰＣＲ情報が時刻ｔ1,ｔ2,……で抽出され、
これらの時刻毎に差分値ΔＮが求められてＶＣＯ制御信号ＣVが生成されるが、
このＶＣＯ制御信号ＣVによってＶＣＯ２６は、その発振周波数ｆが要求される
周波数ｆ0となる方向に制御される。しかし、この発振周波数ｆは周波数ｆ０の
方に変化していくが、ＶＣＯ制御信号ＣVによるＶＣＯ２６の制御電圧は一定で
あり、このため、ＶＣＯ２６の発振周波数ｆはこの要求される周波数ｆ0に安定
化することができず、このときの制御電圧で決まる周波数に安定化しようとする
。このため、次にＰＣＲ情報がレジスタ２１に供給されると、そのときのＳＴＣ
情報とこのＰＣＲ情報との値は等しくなく、これらの差分値ΔＮに応じてＶＣＯ
２６が新たに制御されることになる。
【００４０】
このようにして、ＰＣＲ情報によって制御されても、生成されるデジタル基準
クロックφDの周波数ｆは、例えば、図４（ａ）に示すように、要求される周波
数ｆ0に対して揺れることになる。
【００４１】
しかし、このようにデジタル基準クロックφDの周波数ｆが揺れても、ＭＰＥ
Ｇストリームの符号化画像信号の正常な復号やデジタル処理を可能とするデジタ
ル基準クロックφDの周波数範囲（即ち、上記の規定周波数範囲）を２７±Δｆ
（ＭＨｚ）として、このデジタル基準クロックφD の周波数ｆがこの規定周波数
範囲に入るように、ＰＬＬ回路によってＶＣＯ２６が制御される。ＭＰＥＧ復号
器では、このようにＶＣＯが制御されるようにＰＬＬ回路が構成されているので
あるが、この実施形態においても、同様である。
【００４２】
ところで、ユーザの指示により、図２（ａ），（ｃ）で示す画面の表示モード
から図２（ｂ）に示す画面の表示モードに切り替えるときには、図３において、
制御回路７により、ＰＩＤ検出回路２０からＰＣＲ情報が抽出されなくなる。こ
の場合には、レジスタ２１には、最後に抽出されたＰＣＲ情報がセットされてい
るが、制御回路７は差分値回路２２での差分値ΔＮの検出動作を禁止させる。
【００４３】
ここで、差分値回路２２は、制御回路７からの制御信号ＣPによってレジスタ
２１の値とＳＴＣカウンタ２４からのＳＴＣの値との差分値ΔＮを算出する演算
手段と、この差分値ΔＮを保持してＶＣＯ制御信号生成回路２３に供給するレジ
スタなどの保持手段とを備えており、いま、図４（ｃ）に示す時刻ｔ4で、制御
回路７の制御によってＰＩＤ検出回路２０でのＰＣＲ情報の抽出が禁止されると
すると、差分値回路２２は制御回路７によって制御されず、図４（ｂ）に示すよ
うに、この差分値回路２２の保持手段に保持されている最後に求められた差分値
ΔＮ（ここでは、時刻ｔ3で求められた差分値ΔＮ）がＶＣＯ制御信号生成回路
２３に供給され続ける。
【００４４】
このように、図２（ａ），（ｃ）で示す画面の表示モードから図２（ｂ）に示
す画面の表示モードに切り替えるときには、それ以後、その切り替わり直前に得
られた差分値ΔＮに応じてＶＣＯ２６が制御されるから、デジタル基準クロック
φDの周波数ｆは、上記の規定周波数範囲２７±Δｆ（ＭＨｚ）内に保持された
状態となる。なお、かかる制御がなされないと、デジタル基準クロックφDの周
波数ｆは、図４（ａ）に破線で示すように、この規定周波数範囲からはずれて安
定化する。
【００４５】
このようにして、この実施形態は、図２（ａ），（ｃ）で示す画面の表示モー
ドから図２（ｂ）に示す画面の表示モードに切り替えられてＭＰＥＧストリーム
からＰＣＲ情報が抽出されなくなっても、デジタル基準クロックφDの周波数ｆ
を復号やデジタル処理に必要な規定の周波数範囲に保持することができるし、ま
た、上記のように、切り替えによって新たに表示されるアナログ画面のデジタル
化アナログ画像信号ＳAD’もデジタル基準クロックφDと同じクロックを使用し
ているので、アナログ画面もその切り替え時点から、画像崩れが生ずることなく
、安定に表示させることができる。
【００４６】
なお、図３において、差分値回路２２が演算手段と保持手段とを有し、上記の
表示モードの切り替えにより、制御回路７が差分値回路２２でその切り替え直前
の差分値ΔＮを保持させるようにしたが、デジタル基準クロックφDの周波数ｆ
の安定化手段としては、これに限るものではない。例えば、差分値回路２２は、
レジスタ２１にＰＣＲ情報がセットされる毎に、差分値ΔＮを算出するが、制御
回路７は、算出される毎にその差分値ΔＮを取り込み、図２（ａ），（ｃ）で示
す画面の表示モードから図２（ｂ）に示す画面の表示モードに切り替えられると
、差分値回路２２の動作を停止させ、代わりに最後に取り込んだ差分値ΔＮをＶ
ＣＯ制御信号生成回路２３に供給するようにしてもよい。
【００４７】
図５は図３におけるＰＩＤ検出回路２０の一具体例を示すブロック図であって
、２７はＰＩＤフィルタ、２８はＰＩＤテーブル、２９はＰＣＲ抽出回路であり
、図３に対応する部分には同一符号を付けている。
【００４８】
同図において、デジタル放送選局／復調回路２から出力された復調デジタル受
信信号ＳDはＰＩＤフィルタ２７に供給され、制御回路７によってＰＩＤテーブ
ル２８に予め設定されているＰＩＤ値に応じて、この復調デジタル受信信号ＳD
を形成する多重化された各種パケットが分離される。
【００４９】
ここで、制御回路７によるＰＩＤ値の設定について説明する。
【００５０】
ＭＰＥＧ２方式のＴＳストリーム（ＭＰＥＧストリーム）は、符号化画像デー
タをパケットデータとするＴＳパケット（画像パケット）や符号化音声データを
パケットデータとするＴＳパケット（音声パケット），その他の情報をパケット
データとするＴＳパケットが時分割的に多重されたものであり、これらＴＳパケ
ットをパケットデータの種類毎に識別できるようにするために、夫々のＴＳパケ
ットにそのパケットデータの種類（属性）を示すＰＩＤ（Packet Identificatio
n：パケット識別）情報が付加されており、かかるＰＩＤ情報の値（ＰＩＤ値）
はＴＳパケットの属性毎に異なるものである。ここでは、夫々のＴＳパケットに
対するＰＩＤ情報を、
画像パケットのＰＩＤ：Ｖｉｄｅｏ＿ＰＩＤ
音声パケットのＰＩＤ：Ａｕｄｉｏ＿ＰＩＤ
ＰＣＲパケットのＰＩＤ：ＰＣＲ＿ＰＩＤ
として表わすことにする。
【００５１】
ここで、ＰＣＲパケットは、上記のＰＣＲ（Program Clock Reference：プロ
グラム時刻基準参照値）情報をパケットデータとするＴＳパケットである。この
ＰＣＲ情報は、画像と音声の復号器を含むＭＰＥＧ復号器において、時刻基準と
なる上記のＳＴＣ（System Clock Reference）の値を符号化器側で意図した値に
セットするための情報であり、デジタル基準クロック生成回路４を制御するため
に用いる。
【００５２】
ＰＩＤテーブル２８は、かかるＶｉｄｅｏ＿ＰＩＤ，Ａｕｄｉｏ＿ＰＩＤ，Ｐ
ＣＲ＿ＰＩＤ夫々の値がセットされるものであり、ＰＩＤフィルタ２７は、入力
される復調デジタル受信信号（ＴＳストリーム）ＳDのＴＳパケット毎に、この
ＴＳパケットのＰＩＤ情報の値がＰＩＤテーブル２８にセットされているＶｉｄ
ｅｏ＿ＰＩＤの値と一致するか、Ａｕｄｉｏ＿ＰＩＤの値に一致するか、あるい
はまた、ＰＣＲ＿ＰＩＤの値に一致するかに応じてこのＴＳパケットの属性（即
ち、画像パケットであるか、音声パケットであるか、あるいはまた、ＰＣＲパケ
ットであるか）を判定するものである。
【００５３】
そして、また、ＰＩＤテーブル２８にセットされる上記夫々のＰＩＤには、イ
ネーブル信号(フラグ)ｅｎが付随しており、このイネーブル信号ｅｎが“１”の
ときには、このイネーブル信号ｅｎに該当するＰＩＤ値を有効とし、イネーブル
信号ｅｎが“０”のときには、このイネーブル信号ｅｎに該当するＰＩＤ値を無
効とするものである。従って、例えば、Ｖｉｄｅｏ＿ＰＩＤのイネーブル信号ｅ
ｎが“１”とすると、このＶｉｄｅｏ＿ＰＩＤ値が有効となり、ＰＩＤフィルタ
２７は、復調デジタル受信信号ＳDのうちのこのイネーブル信号ｅｎが“１”の
Ｖｉｄｅｏ＿ＰＩＤ値に等しい値のＰＩＤ情報を有するＴＳパケット（即ち、画
像パケット）を分離し、符号化画像信号ＶCとして画像デコーダ５に送る。同様
にして、Ａｕｄｉｏ＿ＰＩＤのイネーブル信号ｅｎが“１”のときには、ＰＩＤ
フィルタ２７は、復調デジタル受信信号ＳDのうちのこのイネーブル信号ｅｎが
“１”のＡｕｄｉｏ＿ＰＩＤ値に等しい値のＰＩＤ情報を有するＴＳパケット(
即ち、音声パケット)を分離し、符号化音声信号ＡCとして音声デコーダ６に送る
。また、ＰＣＲ＿ＰＩＤのイネーブル信号ｅｎが“１”のときには、ＰＩＤフィ
ルタ２７は、復調デジタル受信信号ＳDのうちのこのイネーブル信号ｅｎが“１
”のＰＣＲ＿ＰＩＤ値に等しい値のＰＩＤ情報を有するＴＳパケット（即ち、Ｐ
ＣＲパケット)を分離し、ＰＣＲ抽出回路２９に送る(このようなＰＩＤ情報によ
る分離動作を、ＰＩＤフィルタリングという）。ＰＣＲ抽出回路２９では、この
ＰＣＲパケットからＰＣＲ情報を抽出し、図３におけるレジスタ２１に送る。
【００５４】
ところで、ＭＰＥＧ２規格のＴＳストリームは、マルチプログラム（マルチチ
ャンネル）対応の多重方式であり、１つのストリームで複数のチャンネルが伝送
できるようにしている。従って、ユーザはそのうちの１つを選択することができ
るが、ＰＩＤ検出回路２２では、このユーザが選択したチャンネルのＴＳパケッ
トを検出できるようにする必要がある。
【００５５】
一方、かかるＴＳストリームでは、同じ属性のＴＳパケットでも、チャンネル
毎にそのＴＳパケットのＰＩＤの値が異なる。従って、ユーザが選択したチャン
ネルに対する値のＶｉｄｅｏ＿ＰＩＤ，Ａｕｄｉｏ＿ＰＩＤ，ＰＣＲ＿ＰＩＤを
ＰＩＤテーブル２８にセットすることにより、ＰＩＤフィルタ２７において、復
調デジタル受信信号ＳDからこのユーザが選択したチャンネルの画像パケットや
音声パケット，ＰＣＲパケットを分離することができるが、このためには、ユー
ザが指定したデジタル放送のチャンネルのＶｉｄｅｏ＿ＰＩＤ，Ａｕｄｉｏ＿Ｐ
ＩＤ，ＰＣＲ＿ＰＩＤの値をＰＩＤテーブル２８にセットする必要がある。
【００５６】
一方、ＴＳストリームには、そこに多重されているチャンネルのＶｉｄｅｏ＿
ＰＩＤ，Ａｕｄｉｏ＿ＰＩＤ，ＰＣＲ＿ＰＩＤの値のリストを含むＰＭＴデータ
のＰＩＤ値を含むＰＡＴと呼ばれるデータが多重されている。図５に示すＰＩＤ
テーブル２８には、このＰＡＴのＰＩＤ（ＰＡＴ＿ＰＩＤ）が設定されている。
【００５７】
このように、ＰＡＴ＿ＰＩＤがＰＩＤテーブル２８に設定されている状態でデ
ジタル放送の受信が開始されると、ＰＩＤフィルタ２７では、ＰＩＤテーブル２
８のＰＡＴ＿ＰＩＤを用いて供給される復調デジタル受信信号ＳDからＰＡＴデ
ータを抽出し、制御回路７に送る。制御回路７は、送られてきたＰＡＴデータか
らＰＭＴ＿ＰＩＤを抽出してＰＩＤテーブル２８に設定する。そして、ＰＩＤフ
ィルタ２７は、このＰＩＤテーブル２８に設定されたＰＭＴ＿ＰＩＤを用いて復
調デジタル受信信号ＳDからＰＭＤデータを抽出し、これを制御回路７に送る。
制御回路７は、このＰＭＴデータのリストからユーザの希望するチャンネルのＶ
ｉｄｅｏ＿ＰＩＤ，Ａｕｄｉｏ＿ＰＩＤ，ＰＣＲ＿ＰＩＤの値を抽出し、ＰＩＤ
テーブル２８にセットする。これにより、供給される復調デジタル受信信号ＳD
から、ユーザが希望するチャンネルの画像パケットの符号化画像データ，音声パ
ケットの符号化音声データ及びＰＣＲパケットがＰＩＤフィルタ２７で分離可能
となる。
【００５８】
次に、この第１の実施形態での画面切替え（チャンネル切替え）に際してのＰ
ＩＤテーブル２８におけるＰＩＤの設定方法とイネーブル信号ｅｎの制御方法に
ついて、図６を用いて説明する。
【００５９】
まず、ユーザが入力手段１８によって希望のチャネルの選択を行なうと、この
選択情報が、ユーザＩ／Ｆ回路１９を介し、ユーザ命令ＣMとして制御回路７に
取り込まれる(ステップ１０１)。そこで、制御回路７は、このユーザ命令ＣMか
ら、画面の切替えが必要か否か判断する（ステップ１０２）。画面の切替えが必
要ない場合には、新たに次のユーザ操作情報を取得するまで待機する。
【００６０】
ユーザ命令ＣMがチャンネルの切替えを要求している場合には（ステップ１０
２）、この切り替える新たなチャンネルがデジタル放送のチャンネルであるか否
か、即ち、ユーザが新たに選択するチャンネルがデジタル放送であるか、アナロ
グ放送であるかを判断し(ステップ１０３)、デジタル放送のチャンネルであれば
、これが既に現在選局されて表示しているデジタル放送のチャンネルと同じ放送
局からのものであるか否かを判断する（ステップ１０４）。同じ放送局からのも
のであるときには、即ち、ユーザが新たに選択したデジタル放送のチャンネルが
現在選局しているデジタル放送のチャンネルと同じであれば、このとき、図５に
示すＰＩＤテーブル２８に設定されているＰＩＤのイネーブル信号ｅｎが“１”
であり、制御回路７はこれら設定されているＰＩＤのイネーブル信号ｅｎを“１
”にそのまま保持する。
【００６１】
しかし、ユーザが新たに選択するデジタル放送のチャンネルが現在選局してい
るデジタル放送のチャンネルと異なる場合には（ステップ１０４）、制御回路７
は、まず、デジタル放送選局／復調回路２を制御してユーザが新たに選択したデ
ジタル放送のチャンネルを含むＴＳストリームを選局，復調する状態として（ス
テップ１０５）、ＰＩＤテーブル２８で設定されている“１”のイネーブル信号
ｅｎのＰＡＴ＿ＰＩＤにより、この復調したＴＳストリーム（復調デジタル受信
信号ＳD）からＰＡＴデータを取得し、このＰＡＴデータからＰＭＴ＿ＰＩＤを
抽出し、このＰＭＴ＿ＰＩＤを図５のＰＩＤテーブル２８に設定してそのイネー
ブル信号ｅｎを“１”にセットし、これにより、ＴＳストリームのＰＭＴデータ
のＰＩＤリストを取得する（ステップ１０６）。そして、このＰＩＤリストから
ユーザが希望したチャンネルに対する画像パケット，音声パケット，ＰＣＲパケ
ットのＰＩＤ情報、即ち、Ｖｉｄｅｏ＿ＰＩＤやＡｕｄｉｏ＿ＰＩＤ，ＰＣＲ＿
ＰＩＤを取得し、その値をＰＩＤテーブル２８に設定し(ステップ１０７)、まず
、このＰＣＲ＿ＰＩＤのイネーブル信号ｅｎを“１”にセットする（ステップ１
０８）。これにより、図５でのＰＩＤフィルタ２７で供給される復調デジタル受
信信号ＳDから最初のＰＣＲパケットが分離され、ＰＣＲ抽出回路２９でこのＰ
ＣＲパケットからＰＣＲ情報が抽出される。このＰＣＲ情報の値が図３のレジス
タ２１にセットされるとともに、ＳＴＣカウンタ２４にロードされ、ユーザによ
って新たに選択されたデジタル放送のチャンネルに対して図３に示すＰＬＬ回路
が動作を開始する。しかる後、図５でのＰＩＤテーブル２８に設定されたＶｉｄ
ｅｏ＿ＰＩＤとＡｕｄｉｏ＿ＰＩＤのイネーブル信号ｅｎが“１”にセットされ
(ステップ１０９)、ユーザによって新たに選択されたデジタル放送のチャンネル
の復調デジタル受信信号ＳDから、ＰＩＤフィルタ２７により、画像パケットの
符号化画像信号ＶCと音声パケットの符号化音声信号ＡCとが分離され、夫々画像
デコーダ７，音声デコーダ６に供給されて復号される。復号画像信号ＶDは合成
回路１５を介して表示装置１６に供給され、また、復号音声信号ＡDはスピーカ
１７に供給される（ステップ１１３）。
【００６２】
このようにして、デジタル放送について、チャンネルが異なることによる画面
の切り替えが行なわれる。
【００６３】
また、ユーザが新たに選択したチャンネルがアナログ放送のチャンネルである
場合には(ステップ１０３)、ＰＩＤテーブル２８に設定されているＰＣＲ＿ＰＩ
Ｄのイネーブル信号ｅｎが現在“１”であるかどうかを判断し(ステップ１１０
）、これが“０”であれば(即ち、これまでの表示画面がアナログ画面であると
き）、制御回路７は、そのまま“０”の状態に保持させて合成回路１５を制御し
、この合成回路１５から表示装置１６にＴＢＣ１４から出力されるデジタル化ア
ナログ画像信号ＳAD’を供給するようにする(ステップ１１３)。また、ＰＩＤテ
ーブル２８に設定されているＰＣＲ＿ＰＩＤのイネーブル信号ｅｎが現在“１”
であるときには（ステップ１１０：従って、これまでは、デジタル放送のあるチ
ャンネルが視聴されていたことになる）、ＰＩＤテーブル２８に設定されている
Ｖｉｄｅｏ＿ＰＩＤやＡｕｄｉｏ＿ＰＩＤのイネーブル信号ｅｎを“０”にし（
ステップ１１１）、さらに、ＰＣＲ＿ＰＩＤのイネーブル信号ｅｎも“０”にす
る（ステップ１１２）。そして、制御回路７の制御により、合成回路１５は、画
像デコーダ５からの復号画像信号ＶDからＴＢＣ１４からのデジタル化アナログ
画像信号ＳAD’に切り替えてフォーマット変換し、表示装置１６に供給するよう
にする。これにより、表示装置１６では、デジタル画面からアナログ画面に切り
替わることになる。
【００６４】
以上のように、この実施形態では、少なくともデジタル画面が表示されている
モードからアナログ画面のみが表示されるモードに切り替えられても、デジタル
基準クロック生成回路４から出力されるデジタル基準クロックφDの周波数の連
続性を保つことができ、また、かかる周波数を規定される周波数範囲内に保つこ
とができるものであって、切り替えられたアナログ画面をその切り替え時点から
、画像崩れなしに、安定に表示させることができる。
【００６５】
図７は本発明によるデジタル放送受信機の第２の実施形態を示すブロック図で
あって、３０はメモリ、３１はＯＳＤ（On Scren Display）回路であり、図１に
対応する部分には同一符号を付けて重複する説明を省略する。
【００６６】
同図において、この第２の実施形態は、図１で示した構成の第１の実施形態に
文字／図形などの情報であるＯＳＤ表示のための情報（以下、ＯＳＤ情報という
）を格納したメモリ３０と、デジタル基準クロック生成回路４からのデジタル基
準クロックφDを動作クロックとして用いてかかるＯＳＤ情報の画像信号（以下
、ＯＳＤ画像信号という）ＳOSDを生成するＯＳＤ回路３１とを設け、表示装置
１６でこのＯＳＤ画像信号ＳOSDによるＯＳＤ画面をも表示することができるよ
うにしたものである。
【００６７】
ユーザが入力手段１８によって表示装置１６で表示希望のＯＳＤ情報を選択す
ると、これに応じたユーザ命令ＣMによって制御回路７はＯＳＤ回路３１を制御
する。これにより、ＯＳＤ回路３１はメモリ３０からユーザが希望したＯＳＤ情
報を読み取り、このＯＳＤ情報の画像信号、即ち、ＯＳＤ画像信号ＳOSDを生成
する。このＯＳＤ画像信号ＳOSDは合成回路１５でフォーマット変換され、表示
装置１６に供給されて画面表示される。これにより、表示装置１６では、ＯＳＤ
画面が表示される。
【００６８】
ここで、デジタル放送選局／復調回路２でデジタル放送のユーザが選択したチ
ャンネルが受信され、画像デコーダ５からそのチャンネルの復号画像信号ＶDが
合成回路１５に供給され、表示装置１６でこのチャンネルのデジタル画面が表示
されているときも、また、ＴＢＣ１４からアナログ放送のユーザが選択したチャ
ンネルの、あるいはＶＴＲ９の再生によるデジタル化アナログ画像信号ＳAD'が
合成回路１５に供給され、表示装置１６でそのアナログ画面が表示されていると
きも、ユーザが入力手段１８を選択操作することにより、ＯＳＤ回路３１から所
望のＯＳＤ情報のＯＳＤ画像信号ＳOSDを出力させることができる。このような
場合には、制御装置７の制御により、かかるＯＳＤ画像信号ＳOSDは合成回路１
５に供給され、上記の復号画像信号ＶDやデジタル化アナログ画像信号Ｓad’に
合成され、フォーマット変換されて表示装置１６に供給される。これにより、表
示装置１６では、ＯＳＤ画面がデジタル画面やアナログ画面に合成されて表示さ
れることになる。勿論、ユーザによる入力手段１８の希望する操作に応じて、上
記のようなデジタル放送の受信中でも、また、アナログ放送の受信中やＶＴＲ９
の再生中でも、制御回路７による合成回路１５の制御により、ＯＳＤ画面のみを
表示装置１６で表示させるようにすることもできる。
【００６９】
なお、合成回路１５は、図１に示した合成回路１５と同様のものであって、画
像デコーダ５から供給される復号画像信号ＶD，ＴＢＣ１４から供給されるデジ
タル化アナログ画像信号ＳAD’，ＯＳＤ回路３１からの供給されるＯＳＤ画像信
号ＳOSDのいずれかを選択する手段を有し、それらのいずれか１つのみを選択し
て表示装置１６に供給するようにすることができるし、また、これらのうちの２
以上を順次切り替え選択することにより、これらを合成して表示装置１６に供給
することもできるものであり、これら２以上の画面を合成して表示装置１６で表
示させることができるものである。
【００７０】
ここで、ＯＳＤ回路３１もデジタル基準クロックφDを動作クロックに用いて
動作するものであるが、このデジタル基準クロックφDの周波数が上記の規定周
波数範囲からはずれると、合成回路１５でこのＯＳＤ画像信号ＳOSDの正常なデ
ジタル処理ができなくなり、表示装置１６でのＯＳＤ画面に画像崩れが生じて正
常な表示ができなくなる。
【００７１】
しかし、この第２の実施形態においても、デジタル画面の表示モードからＯＳ
Ｄ画面の表示モードに切り替わって、ＴＳパケット分離回路３でＰＣＲ情報が抽
出されなくなると、図１に示した第１の実施形態と同様に、制御回路７がデジタ
ル基準クロック生成回路４を制御してデジタル基準クロックφDの周波数が上記
の規定周波数範囲内に安定に保持するものである。このため、この第２の実施形
態においても、ユーザの選択操作によってデジタル画面からアナログ放送の画面
（アナログ画面）のみの表示、あるいはＯＳＤ画面のみの表示、あるいはＯＳＤ
画面とアナログ画面との合成画面のみの表示に切り替わる場合に、ＴＳパケット
分離回路３でＰＣＲ情報が抽出されなくなっても、上記の表示画面の切り替えが
、画像の崩れが発生しないで、行なわれることになる。
【図面の簡単な説明】
【００７２】
【図１】本発明によるデジタル放送受信機の第１の実施形態を示すブロック図である。
【図２】図１で示す第１の実施形態の画面表示モードを示す図である。
【図３】図１におけるＴＳパケット分離回路とデジタル基準クロック生成回路との一具体例を示すブロック図である。
【図４】図３に示すＰＬＬ回路の動作を示す図である。
【図５】図２におけるＰＩＤ検出回路の一具体例を示すブロック図である。
【図６】図１に示した実施形態の制御動作を示すフローチャートである。
【図７】本発明によるデジタル放送受信機の第２の実施形態を示すブロック図である。
【符号の説明】
【００７３】
１  デジタル放送受信アンテナ
２  デジタル放送選局／復調回路
３  ＴＳパケット分離回路
４  デジタル基準クロック生成回路
５  画像デコーダ
６  音声デコーダ
７  制御回路
８  アナログ放送受信アンテナ
９  ＶＴＲ
１０  アナログ放送選局／復調回路
１１  スイッチ
１２  Ａ／Ｄコンバータ
１３  アナログ画像用クロック生成回路
１４  ＴＢＣ
１５  合成／フォーマット変換回路
１６  表示装置
１７  スピーカ
１８  入力手段
１９  ユーザＩ／Ｆ回路
２０  ＰＩＤ検出回路
２１  レジスタ
２２  差分値回路
２３  ＶＣＯ制御信号生成回路
２４  ＳＴＣカウンタ
２５  ＬＰＦ
２６  ＶＣＯ
２７  ＰＩＤフィルタ
２８  ＰＩＤテーブル
２９  ＰＣＲ抽出回路
３０  メモリ
３１  ＯＳＤ回路
【図１】
2006141055.tif 000003
【図２】
2006141055.tif 000004
【図３】
2006141055.tif 000005
【図４】
2006141055.tif 000006
【図５】
2006141055.tif 000007
【図６】
2006141055.tif 000008
【図７】
2006141055.tif 000009